(57)【要約】 【課題】  有効撮影領域を示す段差を備えつつ、段差部分への外部からの衝撃を抑制する放射線撮影装置を提供すること。【解決手段】  放射線を検出する有効撮影領域を有する放射線検出パネルと、該放射線検出パネルを収容する筺体と、を備える放射線撮影装置において、筺体は、放射線が入射する入射面と、入射面と対向する位置に配置される背面と、入射面と背面とを接続する側面と、を含み、筺体の側面に配置され、有効撮影領域に対応して設けられた段差部と、筺体の側面に配置され、放射線の入射方向から見て、段差部よりも外側に突出した摺動部とを有することを特徴とする。【選択図】  図１
2017198614.tif 000002
【特許請求の範囲】
【請求項１】
放射線を検出する有効撮影領域を有する放射線検出パネルと、該放射線検出パネルを収容する筺体と、を備える放射線撮影装置において、
前記筺体は、前記放射線が入射する入射面と、前記入射面と対向する位置に配置される背面と、前記入射面と背面とを接続する側面と、を含み、
前記筺体の側面に配置され、前記有効撮影領域に対応して設けられた段差部と、
前記筺体の側面に配置され、前記放射線の入射方向から見て、前記段差部よりも外側に突出した摺動部と、を有することを特徴とする放射線撮影装置。
【請求項２】
前記段差部は、前記側面における、前記入射面に対する法線方向の中心を含まないように設けられていることを特徴とする請求項１に記載の放射線撮影装置。
【請求項３】
前記放射線の入射方向から見て、前記摺動部が前記放射線撮影装置の最外形を構成するように配置されていることを特徴とした請求項１または２に記載の放射線撮影装置。
【請求項４】
前記段差部は、前記摺動部と摩擦抵抗が異なることを特徴とする請求項１から３のいずれか１項に記載の放射線撮影装置。
【請求項５】
前記摺動部が、前記放射線の入射方向と直交する方向から見て、前記放射線撮影装置の重心位置、または、前記放射線撮影装置の中心と一致するように配置されることを特徴とする請求項１から４のいずれか１項に記載の放射線撮影装置。
【請求項６】
前記摺動部が、前記放射線の入射方向と直交する方向から見て、前記放射線検出パネルが放射線を検出する検出面と同じ位置に配置されることを特徴とする請求項１から５のいずれか１項に記載の放射線撮影装置。
【請求項７】
前記筺体の側面は、前記入射面または前記背面に対して筺体の厚み方向に傾斜した傾斜部を有し、
前記段差部は、前記傾斜部の少なくとも一部に設けられていることを特徴とする請求項１から６のいずれか１項に記載の放射線撮影装置。
【請求項８】
前記段差部のうち、前記傾斜部に設けられた部分は、前記放射線の入射方向と直交する方向から見て、前記入射面よりも外側に突出しないように配置されていることを特徴とする請求項７に記載の放射線撮影装置。
【請求項９】
前記段差部は、前記背面の少なくとも一部に設けられていることを特徴とする請求項１から８のいずれか１項に記載の放射線撮影装置。
【請求項１０】
前記段差部は、前記筺体の側面から内側に向かって伸びる側壁と、前記側壁同士を接続する底面と、を有し、
前記段差部における底面と前記筺体の側面とは摩擦抵抗が異なることを特徴とする請求項１から９のいずれか１項に記載の放射線撮影装置。
【請求項１１】
前記放射線撮影装置を操作するための操作部を前記側面に有し、
前記操作部の最外形は、放射線の入射方向から見て、前記筺体の最外形よりも内側に配置されることを特徴とする請求項１から１０のいずれか１項に記載の放射線撮影装置。
【請求項１２】
前記放射線撮影装置と外部装置とを接続するための接続部を前記側面に有し、
前記接続部の最外形は、放射線の入射方向から見て、前記筺体の最外形よりも内側に配置されることを特徴とする請求項１から１１のいずれか１項に記載の放射線撮影装置。
【請求項１３】
請求項１から１２のいずれか１項に記載の放射線撮影装置と、
前記放射線撮影装置を充電するための充電装置と、を有する放射線撮影システムであって、
前記充電装置は、前記放射線撮影装置を収容する際に接触させる接触面を有し、
前記放射線撮影装置における前記筺体の外壁の硬さが、前記接触面の硬さと同じか、前記接触面の硬さよりも硬い材料であることを特徴とする放射線撮影システム。
【発明の詳細な説明】
【技術分野】
【０００１】
本発明は、放射線検出パネルを用いた放射線撮影装置および、放射線撮影装置を用いた放射線撮影システムに関する。
【背景技術】
【０００２】
対象物を透過した放射線の強度分布を検出して放射線画像を得る放射線撮影装置が工業用の非破壊検査や医療診断の場で広く一般に利用されている。
【０００３】
放射線撮影装置は、放射線源から照射される放射線の照射領域と、放射線撮影装置の有効撮影領域と、撮影対象との位置を合わせた状態で撮影される。そのため、操作者が、これらの位置合わせを行う場合に、放射線撮影装置の有効撮影領域を容易に認識できることが好ましい。
【０００４】
特許文献１では、放射線撮影装置の有効撮影領域を触覚で認識させるため、筺体の側面に段差又は摩擦抵抗が異なる指標を設けた放射線撮影装置が開示されている。
【先行技術文献】
【特許文献】
【０００５】
【特許文献１】特許第４６１７０１７号
【発明の概要】
【発明が解決しようとする課題】
【０００６】
しかしながら、特許文献１に記載の放射線撮影装置は、その取り扱い時の筺体の保護に関して対策が十分でない場合があった。例えば、放射線撮影装置の位置合わせ時において、撮影用のベッドやテーブルに対し、指標として形成された段差部分が引っ掛かり、筺体が破損するおそれがあった。
【０００７】
そこで、本発明は上記課題に鑑みてなされたものであり、有効撮影領域を示す段差を備えつつ、段差部分への外部からの衝撃を抑制する放射線撮影装置を提供することを目的とする。
【課題を解決するための手段】
【０００８】
本発明に関わる放射線撮影装置は、放射線を検出する有効撮影領域を有する放射線検出パネルと、該放射線検出パネルを収容する筺体と、を備える放射線撮影装置において、前記筺体は、前記放射線が入射する入射面と、前記入射面と対向する位置に配置される背面と、前記入射面と背面とを接続する側面と、を含み、を有することを特徴とする。
【発明の効果】
【０００９】
有効撮影領域を示す段差を備えつつ、段差部分への外部からの衝撃を抑制する放射線撮影装置を提供すること
【図面の簡単な説明】
【００１０】
【図１】第一の実施形態における放射線撮影装置の外観を示す図
【図２】第一の実施形態における放射線撮影装置の断面図
【図３】第一の実施形態における放射線撮影装置の外観を示す図
【図４】第一の実施形態における放射線撮影装置の外観を示す図
【図５】第一の実施形態における放射線撮影装置の外観を示す図
【図６】第二の実施形態における放射線撮影装置の外観を示す図
【図７】第二の実施形態における放射線撮影装置の断面図
【図８】各実施形態における放射線撮影装置の応用例を示す図
【発明を実施するための形態】
【００１１】
本発明の実施形態について、添付の図面を参照して具体的に説明する。ただし、各実施形態に示す寸法や構造の詳細は、本文および図中に示す限りではない。なお、本明細書では、Ｘ線だけでなく、α線、β線、γ線、粒子線、宇宙線なども、放射線に含まれるものとする。
【００１２】
（第一の実施形態）
図１から図５を用いて、第一の実施形態における放射線撮影装置について説明する。
図１（ａ）は、第一の実施形態における放射線撮影装置の外観図である。図１（ｂ）は、図１（ａ）における放射線撮影装置の外観図のａ部分の周辺を拡大した図である。図２は、第一の実施形態における放射線撮影装置の断面図である。図２（ａ）は、図１（ａ）におけるＡ−Ａ方向の断面図である。図２（ｂ）は、図１（ａ）におけるＢ−Ｂ方向の断面図である。
【００１３】
放射線撮影装置１００は、放射線発生装置（不図示）によって照射され、被写体を透過した放射線に応じた放射線画像を取得する。放射線撮影装置１００は、取得した放射線画像を、外部装置（コンソール）に転送する。転送された放射線画像は、表示装置等に表示され、ユーザによって撮影の要否が判断される。
【００１４】
放射線撮影装置１００は、放射線を電気信号に変換するための放射線検出パネル１を有する。放射線検出パネル１は、入射した放射線を電気信号に変換する機能を有する。放射線検出パネル１は、ガラス基板上に複数の光電変換素子が二次元状に配置されたセンサ基板１ｃと、センサ基板１ｃの上に配置された蛍光体層１ａと、蛍光体層１ａの上に配置された蛍光体保護膜１ｂから構成される。センサ基板１ｃ上に配置される複数の光電変換素子は、ＭＩＳ型、ＰＩＮ型の可視光を検出し得る変換素子が用いられる。蛍光体保護膜１ｂは、防湿性が比較的高い材料から成り、蛍光体層１ａを保護するために用いられる。ここで、放射線検出パネル１は、入射した放射線を放射線画像として画像化が可能な有効撮影領域を有する。放射線検出パネル１は、放射線の入射方向から見て、複数の光電変換素子が配置された平面上の全ての領域、あるいは、その一部の領域が有効撮影領域として規定される。
【００１５】
上述の構成により、放射線検出パネル１は、入射した放射線によって蛍光体層１ａが発光し、当該発光した光をセンサ基板１ｃ上に配置された光電変換素子が電気信号に変換する。放射線検出パネル１は、蛍光体層１ａと光電変換素子の代わりに、放射線を直接電気信号に変換する直接変換型の変換素子を使用してもよい。
【００１６】
放射線検出パネル１は、フレキシブル回路基板４を介して、制御基板５と電気的に接続されている。制御基板５は、放射線検出パネル１によって変換された電気信号を読み出し、読み出した電気信号を処理する。制御基板５は、当該電気信号をデジタル信号に変換し放射線画像データを取得する。更に、放射線撮影装置１００は、放射線検出パネル１および制御基板５の動作に用いる電力を供給する二次電池２を備えている。二次電池２は、バッテリとしての機能を有する。二次電池２としては、一例として、リチウムイオン電池、電気二重層コンデンサが用いられ得る。
【００１７】
上述した各構成物は、支持基台６によって支持される。支持基台６は、放射線の入射面側に放射線検出パネル１を支持する。また、支持基台６は、放射線検出パネル１を支持する面と対向する面に、制御基板５および二次電池２等を支持する。また、筺体７と放射線検出パネル１との間に、放射線検出パネル１を外力から保護する緩衝材３を有していてもよい。
【００１８】
筺体７は、上述した各構成物を内包する。筺体７は、放射線が入射する入射面７ａと、放射線検出パネル１を挟んで入射面７ａと対向する位置に配置される背面７ｂと、入射面７ａと背面７ｂとを接続する側面７ｃを有している。
【００１９】
入射面７ａは、放射線を入射させるため、放射線の透過率が比較的高いことが好ましい。更に、入射面７ａは、重量が軽く、かつ衝撃に対し一定の強度を確保できることが好ましい。そのため、入射面７ａは、例えば、樹脂材料やＣＦＲＰ（炭素繊維強化プラスチック）などが用いられる。
【００２０】
背面７ｂおよび側面７ｃは、落下や衝撃などに対する強度確保、運搬時の負担軽減を目的とした軽量化、および操作性の高さが確保されていることが好ましい。例えば、マグネシウムやアルミニウムなどの金属合金、ＣＦＲＰや繊維強化樹脂などが用いられる。また、筺体７の外部から受けるノイズを効果的に低減するためにＳＵＳ４３０等の透磁率が比較的高い材料を用いてもよい。
【００２１】
入射面７ａの表面には、有効撮影領域の中心部および、有効撮影領域の範囲を示すための指標１２を有する。指標１２は、入射面７ａの表面に塗装あるいは印刷処理によって形成される。ユーザは、指標１２によって、有効撮影領域を目視により認識することができる。なお、指標１２は、これに限られるものではなく、放射線検出パネル１の方向に窪んだ段差等であってもよい。更に、筺体７の側面７ｃには、有効撮影領域に対応して設けられた段差部１０を有している。ユーザは、段差部１０に触れることにより、触覚で有効撮影領域を認識することが可能となる。このため、例えば、撮影時の位置合わせにより放射線撮影装置１００が被験者の背後に配置され、指標１２を視認できない場合であっても、ユーザは、側面７ｃから段差部１０に触れることで有効撮影領域を認識することができる。
【００２２】
次に、段差部１０の形状について説明する。段差部１０は、側面７ｃにその一部が形成されるとともに、入射面７ａと背面７ｂに他の部分が跨って形成される。また、段差部１０は、ユーザに対して触覚による認識をさせやすくするために、深さは０．５ｍｍ以上とし、幅は５ｍｍ以上とすることが望ましい。なお、段差部１０の深さは、側面７ｃの加工が可能であり、ユーザが触れた際に触覚で認識できる程度であればこれに限られるものではない。
【００２３】
段差部１０は、凹形状を成し、段差部の側壁１０ａと、側壁１０ａ同士をつなぐ底面１０ｂからなる。底面１０ｂは、有効撮影領域の中心座標を通過する中心線と交差する位置に配置される。つまり、段差部１０と矩形の有効撮影領域を形成する各辺の中心座標とが一致するように配置されているため、ユーザは、触覚により有効撮影領域の中心座標を認識することが可能となり、撮影時の位置合わせが容易となる。ここで、段差部１０の配置は、有効撮影領域の中心座標を示す位置に限られるものではなく、有効撮影領域内の任意の位置を示すように配置されていてもよい。一例として、段差部１０は、指標１２が示す有効撮影領域の端部の延長線上に配置されていてもよい。
【００２４】
次に複数の段差部１０間の関係について説明する。段差部１０は、筺体７における４辺の各々に配置され、有効撮影領域の中心座標（中心軸）を挟んで対称な位置に配置される。このように、複数の段差部１０が対称な位置に配置されることで、ユーザは放射線の入射方向から見た放射線撮影装置１００の姿勢を調整しやすくなる。なお、各辺に配置された複数の段差部１０の各々は、同じ形状としているが、これに限られるものではない。例えば、それぞれの辺毎に底面１０ｂの幅あるいは、側壁１０ａの傾斜を変えてもよい。また、触覚で認識しやすくするために、段差部１０の底面１０ｂは、筺体７の側面７ｃとは異なる摩擦抵抗としてもよい。
【００２５】
ここで、側面７ｃに段差部１０を設けた場合の課題について説明する。撮影時の位置合わせにおいて、放射線撮影装置１００の側面７ｃを地面に接触させて起立させ、ベッドやテーブル、充電用クレードルなどに対して側面７ｃを滑らせながら設置する場合に、段差部１０が接触面に引っ掛かり、筺体７が破損するおそれがある。これを防止するため、段差部１０を有する側面７ｃの辺には、摺動部１１が配置されている。
【００２６】
摺動部１１は、放射線の入射方向から見て、段差部１０よりも外側に突出するように配置されている。摺動部１１が配置されることにより、段差部１０が、筺体７の側面７ｃにおいて、入射面７ａへの法線方向の中心座標を含まないように設けられる。さらに、摺動部１１は、筺体７の一部を成し、放射線撮影装置１００の側面７ｃの最外形を規定する。そして、摺動部１１は、側面７ｃが延在する方向に対して平坦な構造を有している。このため、放射線撮影装置１００の側面７ｃを平坦な面に接触させた状態で立たせて、側面７ｃを滑らせる場合であっても、段差部１０が直接地面に接しないように作用し、段差部１０への引っかかりを抑制している。
【００２７】
次に、図３を用いて、第一の実施形態における摺動部１１の他の形態について説明する。図３（ａ）は、第一の実施形態における放射線撮影装置１００の外観図である。図３（ｂ）は、図３（ａ）における放射線撮影装置の外観図のｂ部分の周辺を拡大した図である。
【００２８】
図３において、摺動部１１は、放射線の入射方向から見て、側面７ｃの平坦な部分から更に外側に突出するように配置されている。そのため、筺体７は、放射線の入射方向に直交する方向（筺体７の側面７ｃに略垂直な方向）から見て、摺動部１１、側面７ｃにおける摺動部１１として機能しない部分、段差部１０の底面１０ｂの順に配置される。また、摺動部１１は、放射線の入射方向と直交する方向から見て、放射線撮影装置１００の重心位置、または、放射線撮影装置１００の中心と一致するように配置される。このため、入射面７ａから背面７ｂに実質的に跨るように段差部１０が形成されているのに対して、摺動部１１は、段差部１０と交差するように配置されている。当該構成により、放射線撮影装置１００を平坦な面に接触させて起立させた状態で滑らせる際に、放射線撮影装置１００の姿勢が安定するように作用する。さらに、接触面から段差部１０までの距離が図１の構造よりも遠くなるため、段差部１０に接触面上ある構造物に引っ掛かりにくくなる。さらに、段差部１０を入射面７ａ側と、背面７ｂ側とで、形状を変えてもよい。このようにすることで、ユーザが段差部１０に触れることにより、入射面７ａと背面７ｂとをユーザに識別させることが可能となる。また、摺動部１１は、放射線の入射方向と直交する方向から見て、放射線検出パネル１が放射線を検出する検出面と同じ位置になるように配置してもよい。この場合に、放射線検出パネル１への放射線の投影状態をユーザが推定しやすくなり、放射線発生装置との位置合わせが正確にできる。ここで、筺体７と摺動部１１は別部品で構成されてもよいし、同一部品として構成されていてもよい。また、設置時に摩擦を少なくし、小さな外力で設置できるように摺動部１１の摩擦抵抗を側面７ｃの他の部分よりも低くなるように構成してもよい。
【００２９】
次に、図４および図５を用いて、筺体７の側面７ｃに配置された操作部または接続部（外部インターフェイス）と摺動部１１との関係について説明する。図４は、第一の実施形態における放射線撮影装置の操作部と摺動部との関係を示す図である。図４（ａ）は、放射線撮影装置１００の外観図であり、図４（ｂ）は、図４（ａ）における放射線撮影装置の外観図のｃ部分の周辺を拡大した図である。なお、図４において、筺体７の外壁に構成される他の構成は省略している。
【００３０】
放射線撮影装置１００は、放射線撮影装置１００を操作するための操作部９を筺体７の側面７ｃに有している。操作部９は、電源スイッチ９ａと、状態制御スイッチ９ｂと、無線通信部９ｃを有する。電源スイッチ９ａは、放射線撮影装置１００の電源のオン／オフ状態を切り替えるための入力を受け付ける。状態制御スイッチ９ｂは、放射線撮影装置１００の動作モードの変更、および外部装置との通信のオン／オフ状態を切り替えるために用いられる。無線通信部９ｃは、外部装置との無線通信が可能であり、コンソールとの各種情報の送受信や、コンソールと対応づけのための通信を行うことができる。図４に示すように、操作部９の最外形は、放射線の入射方向から見て、筺体７の側面７ｃ（筺体７の最外形）よりも内側に配置される。
【００３１】
図５は、第一の実施形態における放射線撮影装置と接続部との関係を示す図である。図５（ａ）は、放射線撮影装置１００の外観図であり、図５（ｂ）は、図５（ａ）における放射線撮影装置の外観図のｄ部分の周辺を拡大した図である。なお、図５において、筺体７の外壁に構成される他の構成は省略している。
【００３２】
放射線撮影装置１００は、放射線撮影装置１００と外部装置（不図示）とを接続するための接続部８を筺体７の側面７ｃに有している。接続部８は、有線通信時のインターフェイスとして機能し、例えば、コネクタが用いられる。放射線撮影装置１００は、接続部８を介して、外部電源から有線接続により電力の供給を受けることが可能となる。また、放射線撮影装置１００は、接続部８を介してコンソールと有線接続されることにより、制御信号の送受信および、放射線画像の転送を行うことが可能となる。図５に示すように、接続部８の最外形は、放射線の入射方向から見て、筺体７の側面７ｃ（筺体７の最外形）よりも内側に配置される。
【００３３】
このため、摺動部１１が、放射線の入射方向から見て、操作部９や接続部８に対して外側に配置されているため、取り回しの際にこれらが破損することを抑制することができる。従って、摺動部１１を地面に接触させ、起立させた状態でスライドさせる場合であっても、接続部８と操作部９への引っかかりを抑制している。
【００３４】
以上、本実施形態では、放射線撮影装置の有効撮影領域の位置合わせを行うための触覚で認識可能な指標となる段差部を備える。そして、段差部よりも外側に筺体の外壁（摺動部）が配置される。そのため、放射線撮影装置の取り回し時などにおいて、筺体の破損を抑制することできる。さらに、放射線撮影装置の取り回し時などにおいて、接続部、操作部などが破損することを抑制できる。
【００３５】
（第二の実施形態）
図６を用いて、第二の実施形態における放射線撮影装置６００について説明する。図６（ａ）は、第二の実施形態における放射線撮影装置６００の外観図を示し、図６（ｂ）は、図６（ａ）におけるｅ部分の拡大図を示している。図７は、図６（ａ）におけるＣ−Ｃ方向の断面図を示している。
【００３６】
第二の実施形態における放射線撮影装置６００は、入射面７ａの平坦な部分に段差部１０が配置されていない点が第一の実施形態と異なる。第二の実施形態における放射線撮影装置６００は、段差部１０が、筺体７における、２つの傾斜面７ｄと側面７ｃ、背面７ｂに配置され、入射面７ａには配置されない。このため、放射線撮影装置６００の入射面７ａ上に、被験者が載せられた場合（例えば、臥位などの姿勢で撮影する場合）であっても、被験者が段差部１０に接触しづらくなる。その結果、被験者に対して放射線撮影時における違和感を与えにくい構造となる。
【００３７】
さらに、放射線撮影装置６００の入射面７ａおよび側面７ｃのいずれを下面として接触面に接触させて起立させた場合でも、傾斜面７ｄに配置された段差部１０に対して、ユーザの指等を挿入しやすいため、利便性が向上する。
【００３８】
また、摺動部１１は、別部材からなり、筺体７の内壁に固定して支持されるとともに、その一部が放射線の入射方向から見て筺体７の外側に突出するように配置されている。当該摺動部１１と筺体７との構成により、筺体７の側面７ｃの剛性を向上させることができる。このため、筺体７の外部からの衝撃に対する耐性が向上する。さらに、摺動部１１の一部が筺体７から突出するように配置されていることにより、側面７ｃに対して垂直な方向からの外力が筺体７へ直接加わることを抑制し得る。
【００３９】
以上、本実施形態では、第一の実施形態と比較して、筺体の入射面に、段差が形成されない構成となっている。このため、本実施形態の放射線撮影装置は、被験者に対して放射線撮影時における違和感を与えにくい構造としている。さらに、摺動部が、筺体の内壁に固定され、一部が筺体から突出するように配置されている。このため、第一の実施形態と比較して筺体の外部からの衝撃に対する耐性を向上させることができる。
【００４０】
（応用例）
次に、図８を用いて、各実施形態における放射線撮影装置を充電装置で充電する場合について説明する。図８は、放射線撮影装置の応用例である放射線撮影システム１０００を示す図である。図８（ａ）は、充電装置８００の外観図である。図８（ｂ）は、充電装置８００に放射線撮影装置を収容する状態を示す図である。なお、図８（ｂ）の充電装置８００は、図８（ａ）における充電装置８００のｄ−ｄ方向の断面図である。
【００４１】
放射線撮影システム１０００は、放射線撮影装置８２０と充電装置８００を備える。ここで、充電装置８００は、放射線撮影装置８２０を収容するための収容部８１０と、放射線撮影装置８２０と接続するための接続部８０２とを備える。充電装置８００は、放射線撮影装置８２０を収容部８１０に収容した状態において、接続部８０２と放射線撮影装置８２０の接続部８とを電気的に接続し、放射線撮影装置８２０に内蔵された二次電池２を充電する。
【００４２】
次に、放射線撮影装置８２０を充電装置８００に収容する場合について説明する。放射線撮影装置８２０は、収容部８１０の底面８１１に筺体７の一辺を接触され、挿入方向に滑らせるように移動された後に収容される。このため、放射線撮影装置８２０の段差部１０が、底面８１１に引っかかり、筺体７が破損するおそれがある。このため、第一および第二の実施形態で説明したように、放射線撮影装置８２０の摺動部１１を底面８１１に接触させた状態で滑らせるように収容する。このため、充電装置８００に放射線撮影装置８２０を繰り返し着脱する場合において、筺体７が破損することを抑制することができる。
【００４３】
更に、筺体７の摩耗を防ぐために、摺動部１１における底面８１１との接触部分は、底面８１１よりも、硬い材料で構成することが好ましい。このため、放射線撮影装置８２０の筺体７の表面の破損および摩耗を抑制することができる。以上、放射線撮影装置の応用例において、充電装置への収容時に筺体が破損することを抑制することができる。
【００４４】
以上、本発明を実施形態に基づいて詳述してきたが、本発明はこれらの特定の実施形態に限られるものではなく、この発明の要旨を逸脱しない範囲の様々な形態も本発明の範疇に含まれる。更に、上述した各実施形態は本発明の一実施の形態を示すものにすぎず、各実施形態を適宜組み合わせることも可能である。
【符号の説明】
【００４５】
１００  放射線撮影装置
１  放射線検出パネル
７  筺体
７ａ  入射面
７ｂ  背面
７ｃ  側面
７ｄ  傾斜面
１０  段差部
１１  摺動部
【図１】
2017198614.tif 000003
【図２】
2017198614.tif 000004
【図３】
2017198614.tif 000005
【図４】
2017198614.tif 000006
【図５】
2017198614.tif 000007
【図６】
2017198614.tif 000008
【図７】
2017198614.tif 000009
【図８】
2017198614.tif 000010